Podtech/llm-jp-corpus-v4-ja_patent huggingface dataset:
(57)【要約】【課題】  本発明は、台所流し台に設置する三角コーナーのゴミ容器において、中央を空間部とする枠体の前方を開口部とし、枠体の裏面に複数の突起部を設け、枠体の背面に吸盤を設け、突起部にゴミネットの口部をかけて使用できるように工夫したことを特徴とする台所流し台三角コーナーのゴミネットかけ具に関するものである。【解決手段】  台所流し台に設置する三角コーナーのゴミ容器において、中央を空間部とする枠体の前方を開口部とし、枠体の裏面に複数の突起部を設け、枠体の背面に吸盤を設け、突起部にゴミネットの口部をかけて使用することを特徴とする。【選択図】  図１
2006206318.tif 000002
【特許請求の範囲】
【請求項１】
台所流し台に設置する三角コーナーのゴミ容器において、中央を空間部とする枠体の前方を開口部とし、枠体の裏面に複数の突起部を設け、枠体の背面に吸盤を設け、突起部にゴミネットの口部をかけて使用できるように工夫したことを特徴とする台所流し台三角コーナーのゴミネットかけ具。
【発明の詳細な説明】
【技術分野】
【０００１】  本発明は、台所流し台に設置する三角コーナーのゴミ容器において、中央を空間部とする枠体の前方を開口部とし、枠体の裏面に複数の突起部を設け、枠体の背面に吸盤を設け、突起部にゴミネットの口部をかけて使用できるように工夫したことを特徴とする台所流し台三角コーナーのゴミネットかけ具に関するものである。
【背景技術】
【０００２】  従来、流し台の三角コーナーにおける残飯を除去するときは、受け具にゴミネットをかぶせる方法で、使用していた。
使用回数が増すと、受け具は汚れが目立っていた。それで、たびたび、洗ったり、買え換えたりしていた。
【発明の開示】
【発明が解決しようとする課題】
【０００３】  そのために、次のような問題があった。
受け具に付着した汚れを除去するには、手間がかかる上、完全にはできなかった。
買い換えにも費用がかかっていた。
本発明は以上の問題点を解決しようとするものである。
【課題を解決するための手段】
【０００４】  台所流し台に設置する三角コーナーのゴミ容器において、中央を空間部（４）とする枠体（１）の前方を開口部（５）とし、枠体（１）の裏面に複数の突起部（３）を設け、枠体（１）の背面に吸盤（２）を設け、突起部（３）にゴミネットの口部をかけて使用できるように工夫したことを特徴とする。
以上のように構成された台所流し台三角コーナーのゴミネットかけ具である。
【発明の効果】
【０００５】  本発明は、流し台の三角コーナーにおける残飯除去の受け具を使用せずに使える。
従って、受け具の清掃、買い換えのわずらわしさがなくなる。
清掃の必要性が生じても受け具より簡単にできる。
【発明を実施する為の最良の形態】
【０００６】  以下、本発明の実施の形態を説明する。
（イ）中央を空間部（４）とする六角形状の枠体（１）の前方を開口部（５）とする。
（ロ）枠体（１）の裏面に複数の突起部（３）を設ける。
（ハ）枠体（１）の背面に吸盤（２）を設ける。
本発明は以上の構成よりなっている。
本発明を使用するときは、上記のゴミネットかけ具を流し台の三角コーナーに設置する。
吸盤（２）で固定し、市販のゴミネットを枠体（１）の突起部（３）に折り返してかけて使用すれば残飯を取り除くことができる。
この結果、受け具は不用となり、受け具の清掃や買い換えも必要ない。
また、清掃の必要性が生じても、受け具より簡単に行える。
【図面の簡単な説明】
【０００７】
【図１】  本発明の斜視図である。
【図２】  本発明の分解斜視図である。
【図３】  本発明の使用状態を示した斜視図である。
【符号の説明】
【０００８】  １  枠体
２  吸盤
３  突起部
４  空間部
５  開口部
【図１】
2006206318.tif 000003
【図２】
2006206318.tif 000004
【図３】
2006206318.tif 000005
(57)【要約】      （修正有）【課題】  従来の物は電線コードをまとめる時はコードを手で束ねてから、ビニールタイやゴムなどで縛る必要があるため、常に用意しておかないとならない。電線コードを手で束ねる事でコードが断線したり熱をもつことがあったりする。コードを巻かないでそのまま長く伸ばした状態が多い。【解決手段】  器具を設けたため、器具に直接巻く事が出来るのでビニールタイやゴムを巻く必要がないようにした。電線コードを手動で丸く束ねて巻いて収納する器具があるため、コードが断線することや熱をもたないようにした。コードを巻かないでそのまま長く伸ばした状態が多いため、器具を設けたことで任意の長さで止めて収納できるようにした。【選択図】図１
2006206313.tif 000002
【特許請求の範囲】
【請求項１】
電線コードを束で重ねてビニールタイやゴムなどで縛ることなく、手動で丸く巻いて収納する単体の器具を設け、その単体の器具を両面テープで本体に接着する。
【請求項２】
巻き終わった先端は割れ目の中にコードを入れて任意の場所で収納できる。
【請求項３】
丸く巻いて収納する器具は一体成型の方法もある。
【発明の詳細な説明】
【発明が属する技術分野】
【０００１】本発明は常に電線コードを収納する事に関する。
【０００２】［従来の技術］従来の物は電線コードをまとめる時はコードを手で束ねてから、ビニールタイやゴムなどで縛る必要がある。
【０００３】  電線コードを手で何度も束ねる事でコードが断線したり熱をもつことがあったりする。
【０００４】  従来の物はコードをいちいち巻くたびにビニールタイやゴムなどを準備しておかないとならない。［発明が解決しようとする課題］
【０００５】  この発明はこのような問題点を解決しようとするものであり、コードをいちいち巻くたびにビニールタイやゴムなどを準備しておく必要がない。
【０００６】  電線コードを手動で丸く束ねて巻いて収納する器具があるため、従来のようなコードを束ねたような問題は発生しない。［課題を解決するための手段］
【０００７】上記目的に沿う本発明の構成はコードを収納する器具を設けたため、コードを丸く巻く事が出来ることを特徴とする。
【０００８】  ようするに本発明は器具があるため、コードが束にならずに丸く巻ける事が可能となる。
【０００９】  上記目的に沿う本発明の構成は今までのようにコードを束ねるたびにビニールタイやゴムなどで縛る必要があったが、今回は器具を設けたため、器具に直接巻く事が出来るのでビニールタイやゴムを巻く必要がない。
【００１０】  今までの場合はコードを巻かないでそのまま長く伸ばした状態が多いと思う、この発明は器具があるために任意の長さで止めて収納が可能となる。［発明の実施するための最良の形態］次に、本発明の実施の形態を図面に基づいて説明する。
【００１１】［発明の効果］  本発明によれば、電線コードを手動で丸く束ねて巻いて収納する器具があるため、コードが断線することや熱をもつことがない。  器具に直接巻く事が出来るのでビニールタイやゴムを巻く必要がない。  任意の長さで止めて収納が可能となる。従来のようなコードを束ねたような問題は発生しない。
【図面の簡単な説明】
【００１２】
【図１】本発明の斜視図
【図２】本発明の正面図
【図３】本発明の側面図
【符号の説明】
【００１３】１……電線コード・２……アダプター本体・３……コード収納器・４……コードストッパー（コード止め部）・
【図１】
2006206313.tif 000003
【図２】
2006206313.tif 000004
【図３】
2006206313.tif 000005
(57)【要約】      （修正有）【課題】市販のテープ台に両面テープで容易に取り付ける事の出来る非粘着部折り曲げテープカッターアタッチメントを提供する。【解決手段】非粘着部折り曲げテープカッターアタッチメントを市販のテープ台に取り付けるための位置決めアゴと稼働板を元に戻す板バネと非粘着部を確実に作るテープブリッジが設けてある。又、ベース板を固定する両面テープと稼働板を支える軸受と軸棒とカッターから成っていて、稼働板が軸棒を中心にベース板側に動くと、たるんだテープがベース板の角度とテープブリッジで確実にベース板と稼働板の間に逆Ｕの字型の非粘着部折り曲げテープを作ることが出来る。【選択図】  図１
2006206315.tif 000002
【特許請求の範囲】
【請求項１】
非粘着部折り曲げテープカッターアタッチメント本体（１）のベース板（２）に角度（４）を付けた位置決めあご（３）と市販テープ台に固定する両面テープ（１１）と軸受（５）とテープブリッヂ（１０）とそれに一体になった板バネ（８）とその先がとがった先端（１３）を取り付けたベース板に軸棒（６）で稼働板（７）を止める。稼働板上部にカッター（９）が付けられた非粘着部折り曲げテープカッターアタッチメントを提供するものです。
【請求項２】
図６で示すテープカッター台本体（１６）に中間ベース（１５）の上部に角度（４）を付ける。その中間ベースに設けた軸受（５）より軸棒（６）で支えられた稼働板（７）と稼働板を元に戻す板バネ（８）とそれに一体になったテープブリッヂ（８）とその先がとがった先端（１３）とカッター（９）からなる。非粘着部折り曲げテープカッター台である。
【請求項３】
図４で示す様にテープを確実に非粘着部折り曲げテープを作るためのテープブリッジ（８）の先端（１３）が粘着しない様にとがらてある板バネ（８）からなるテープブリッジを提供するものです。
【発明の詳細な説明】
【発明の詳細な説明】
【産業上の利用分野】
【０００１】この発明は現在市販されているテープ台に、非粘着部折り曲げテープカッターアタッチメントを両面テープで取り付けて利用する。プラスチックの梱包や包装紙に張ったテープなど、又、掲示物などが剥がし易くなる、カッターナイフやハサミを使用しなくて済むので品物を傷つける事がない。
【背景技術】
【０００２】テープ切断のみを目的に作られていたので張り付けられたテープを剥がす時に、取っ掛かりが無いのでハサミかカッターナイフで切り離す。又、爪等でかき取っていた。【０００３】現在の非粘着部折り曲げ具は構造上時々Ｕの字型のエラーが起こり非粘着部折り曲げが確実に出来ない。【０００４】構造が複雑でコスト高である。
【発明が解決しようとする課題】
【０００５】従来のテープカッター台は任意の長さにテープをカットして使用する事を目的に作られているものと、非粘着部折り曲げ機構付きのテープ台があるが時々エラーが発生する。又、機構が複雑なのでコスト高になるので下記の様にした。
１．簡単にテープが剥がせる非粘着部折り曲げテープが出来る事。
２．開封時にハサミやナイフ、爪でかきむしらなくても済むようにする事。
３．テープの端がワンタッチで非粘着部折り曲げテープに確実に出来る事。
４．テープブリッジを設けてエラーを０にする。
５．普通のテープカットも出来る事。
６．市販されているテープカッタ台に簡単に取り付けられる事。
７．低コストで作れる事。
【課題を解決するための手段】
【０００６】非粘着部折り曲げテープカッターアタッチメント本体（図１）のベース板に角度を付けた位置決めあご部と固定用の両面テープと稼働板を元の位置に戻す板バネに一体になったテープブリッジと軸受からなるベース板に軸棒で稼働板を止める。稼働板上部にカッターが付けられ、稼働板が動くことにより稼働板とベース板の間に逆Ｕの字型の非粘着部が出来る。非粘着部折り曲げテープカッターアタッチメントです。
【発明を実施するための最良の形態】
【０００７】非粘着部折り曲げテープカッターアタッチメントのベース板に角度を付ける。ベース板に板バネと一体になったテープブリッジを設ける。この板バネと一体になったテープブリッジはベース板側に取り付けても稼働板側に取り付けても、その効果は同じである【０００８】稼働板上部ににテープカット用の刃が取り付けてあるので、テープは何時も稼働板先端で切断され、常にテープが先端にあるので連続して使用が可能である。稼働板をベース板側に動かす事でベース板に付けた角度とテープブリッジにより確実に逆Ｕの字型の非粘着部折り曲げテープを作る事が出来る。【０００９】稼働板を動かさずにテープをカットすると通常の任意の長さのテープカットも行う事が出来る。【００１０】図６で示す様に、この非粘着部折り曲げテープ機構は、テープ台と一体型にも応用出来る。
【発明の効果】
【００１１】非粘着部の無いテープを張った場合非常に剥がすのが大変である。物によっては剥がす事が出来ない場合がある。それらを解決するために剥がすきっかけの摘み部のある非粘着部折り曲げテープを作ることで容易に剥がす事が出来る。又、テープブリッジを設ける事で、確実に非粘着部折り曲げテープが作れる。又、現在市販されているテープ台に簡単に取り付けられるので安価である。
【図面の簡単な説明】
【図１】  本発明の全体斜図
【図２】  Ａ部部分図
【図３】  本発明の非粘着部折り曲げテープを作る動作図
【図４】  板バネとテープブリッジと先端部の形状図
【図５】  本発明の本体を市販のテープ台に取り付けた図
【図６】  非粘着部折り曲げ一体型テープ台図
【符号の説明】
１．非粘着部折り曲げテープカッターアタッチメント本体
２．ベース板                          ３．位置きめあご
４．ベース板の角度                    ５．軸受
６．軸棒                              ７．稼働板
８．板バネ                            ９．カッター
１０．テープブリッヂ                  １１．両面テープ
１２．逆Ｕの字                        １３．先端部
１４．両面テープ                      １５．中間ベース
１６．テープカッター台本体
【図１】
2006206315.tif 000003
【図２】
2006206315.tif 000004
【図３】
2006206315.tif 000005
【図４】
2006206315.tif 000006
【図５】
2006206315.tif 000007
【図６】
2006206315.tif 000008
(57)【要約】【課題】懸濁水和させて使用する緩効性肥料を提供する。【解決手段】緩効性窒素肥料を６３μｍ以下に粉砕分級した肥料。【特許請求の範囲】
【請求項１】
懸濁水和させて施用する粒径６３μｍ以下に調製した緩効性窒素肥料。
【請求項２】
請求項１に示す緩効性窒素肥料に、粒径６３μｍ以下に調製した水に難溶性のその他の肥料成分、もしくは水に易溶性のその他の肥料成分を混合した肥料。
【発明の詳細な説明】
【技術分野】
【０００１】  本発明は、効率的な施肥技術に関する。
【背景技術】
【０００２】  緩効性肥料は、肥料の利用率を向上させ、環境への負荷を軽減できる上に、施用の省力化が図れることから広く使用されている。一般的に、肥料は粒径が小さくなるほど単位重量当たりの表面積が大きくなり、土壌への溶出ならびに土壌微生物による分解が速くなることから、市販されている緩効性肥料の多くは粒状である。また、一部には粉砕し、水を用いて散布することができる化学合成の緩効性窒素肥料も存在する。【０００３】  水溶性の肥料成分を被覆した緩効性肥料は安価であり、農業場面を中心に広く使用されている。一方、化学合成の緩効性窒素肥料は高価であるが、細菌のみによって分解され、糸状菌による発病を抑制する特徴から利用されている。
【発明の開示】
【発明が解決しようとする課題】
【０００４】  市販されている被覆緩効性肥料は粒状であり、水に懸濁させて散布することができない。芝生の育成で粒状の緩効性肥料が広く使用されているが、均一な施肥ができず、芝丈が不揃いになる傾向がある（特許文献１参照）。一方、化学合成の難溶性窒素肥料の粉砕品は水に懸濁して施用できるものの、粒径１００μｍ以上の粒子を多数含むため、強制攪拌装置を有する大型散布機を必要とする。また、ジョウロ等の簡便な器具では沈殿を生じ、施用が困難であるため、家庭等で使用されることはなかった。加えて、散布量によっては葉上に汚れが見られるため好ましくない。
【特許文献１】特開平７−１０１７９３
【０００５】  肥料は、粒径が小さくなるほど単位重量当たりの表面積が大きくなり、土壌への溶出ならびに土壌微生物による分解が速くなるといった理由から、懸濁水和可能な範囲で大きいほうが望ましい。
【課題を解決するための手段】
【０００６】  本発明者らは肥効を保持しながら、容易な散布を可能にする懸濁水和性を持たせるために、化学合成の緩効性窒素肥料を６３μｍ以下に粉砕分級した。本発明に関わる緩効性窒素肥料としては、シクロジウレア（以下ＣＤＵと称す、窒素含量：３２．６％）、オキサミド（窒素含量：３１．８％）、およびメチレンウレアが挙げられる。【０００７】  本発明に関わる肥料を使用する場合、窒素肥料単独で用いる事もできるが、多くの場合は、使用する作物、土壌、使用時期等に応じてリン酸、カリウム、カルシウム、その他の微量要素を加えて用いられる。混合する肥料として、例えば、塩化カリウム、硫酸カリウム、リン酸カリウム、過リン酸石灰、重過リン酸石灰等が挙げられる。更に緩効性窒素肥料だけでは効果発現が遅い場合、粉砕強度を上げて対応することも可能であるが、安価な塩化アンモニウム、硫酸アンモニウム、硝酸アンモニウム、尿素などを適量加えて効果の発現速度、持続時間を調整することもできる。【０００８】  ６３μｍ以下に粉砕分級した緩効性窒素肥料に、その他の肥料成分を混合する場合、水に難溶性の化合物は緩効性窒素肥料と同様に６３μｍ以下に粉砕分級する必要がある。一方、水溶性の高い肥料成分の場合は必ずしも細かく粉砕する必要はない。
【発明の効果】
【０００９】  化学合成の緩効性窒素肥料を６３μｍ以下に粉砕分級することによって、肥効を保持しながら、懸濁水和させて簡便な器具による施肥を可能にする。【００１０】  ６３μｍ以下に粉砕分級することによって、植物体を汚さない施肥を可能にする。
【発明を実施するための最良の形態】（調製例１）【００１１】  ＣＤＵ（窒素保証値：３１％、チッソ株式会社商品）１７８ｇに、リン酸水素二カリウム（和光純薬工業株式会社商品）２２ｇを加え、振動ボールミル（筒井理化学器械株式会社製）で１時間粉砕して粒径６３μｍ以下に篩い分けした。
Ｎ：Ｐ２Ｏ５：Ｋ２Ｏ＝２７．６：４．５：５．９
（調製例２）【００１２】  スーパーオキサミド（窒素保証値：３０％、宇部興産農材株式会社商品）１７８ｇに、リン酸水素二カリウム２２ｇを加え、振動ボールミルで１時間粉砕して粒径６３μｍ以下に篩い分けした。
Ｎ：Ｐ２Ｏ５：Ｋ２Ｏ＝２６．７：４．５：５．９
（調製例３）【００１３】  ＣＤＵ６３ｇに尿素（和光純薬工業株式会社商品）１５ｇ、重過リン酸石灰（リン保証値：４５％、住友商事株式会社商品）７ｇ、硫酸カリウム（上野製薬株式会社商品）１５ｇを加え、振動ボールミルで１時間粉砕して粒径６３μｍ以下に篩い分けした。
Ｎ：Ｐ２Ｏ５：Ｋ２Ｏ＝２６．３：３．２：８．１
【実施例１】
【００１４】  茨城県つくば市殿山地区の圃場内にある、植栽したベント芝を０．５ｍ２に区切り、調製例１、２による肥料と市販の比較対照肥料を電動散布機（株式会社丸山製作所製）を用いて、一平方メートル当たり５００ｍｌの水量で散布した。比較対照肥料１は、水に懸濁させて施用する微粉の速効性肥料であり、比較対照肥料２は、水に希釈して施用する液状の速効性肥料である。また、肥効の持続性を検討するために、比較対照肥料２は１０日間隔で施肥し、その他の肥料は、１０日、３０日、６０日と施肥間隔の異なる区を設けた。施肥量は、無処理区を除き、いずれの区も窒素成分量として１ヶ月当たり３ｇに統一した。肥料の効果は１０日もしくは２０日おきに、芝の緑度によって評価した。試験は各々２反復として、２００４年４月１４日から処理を開始した。尚、芝の刈り込みは１〜２日おきに行った。その結果の平均値を表１に示す。緑度は、水稲用の富士葉色カラースケール（富士写真フィルム株式会社製）を用い、１（黄色）〜７（深緑）の７段階と各段階の中間位を加えて評価した。また、比較対照肥料組成は以下の通りである。
比較対照肥料１（微粉ハイポネックス、日本ハイポネックス株式会社商品）
Ｎ：Ｐ２Ｏ５：Ｋ２Ｏ＝６．５：６．０：１９．０
比較対照肥料２（ハミドリンエース、丸和バイオケミカル株式会社商品）
Ｎ：Ｐ２Ｏ５：Ｋ２Ｏ：Ｆｅ＝１６．０：５．０：３．０：０．５【００１５】
【表１】
2006206418.tif 000002
【実施例２】
【００１６】  茨城県つくば市殿山地区の圃場内にある、植栽したベント芝を０．５ｍ２に区切り、調製例３による肥料と比較対照肥料を電動散布機により、一平方メートル当たり５００ｍｌの水量で散布した。比較対照肥料３は、水に懸濁させて施用する微粉の緩効性肥料である。施肥間隔は、調製例３による肥料および比較対照肥料３は３０日、６０日、比較対照肥料２は１０日とした。施肥量は、無処理区を除き、いずれの区も窒素成分量として１ヶ月当たり３ｇに統一した。芝生の管理、緑度評価は実施例１と同様に行った。試験は各々２反復として、２００４年９月２４日から処理を開始した。その結果の平均値を表２に示す。また、市販の比較対照肥料組成は以下の通りである。
比較対照肥料３（グリーンベースＮＰＫ  チッソ旭株式会社商品）
Ｎ：Ｐ２Ｏ５：Ｋ２Ｏ：Ｍｇ＝１８．０：６．０：１０．０：４．０【００１７】
【表２】
2006206418.tif 000003
(57)【要約】【課題】  副作用の心配がなく、安全性が高い上に十分な効果が期待されるアレルギー疾患の予防・治療用組成物を提供すること。【解決手段】  三酸化二砒素を含有するアレルギー疾患の予防・治療用組成物、さらに所望により三酸化二砒素の他に桂枝、黄耆及び甘草の中の少なくとも１種の物質を配合してなるアレルギー疾患の予防・治療用組成物。【選択図】  なし【特許請求の範囲】
【請求項１】
三酸化二砒素を含有することを特徴とするアレルギー疾患の予防・治療用組成物。
【請求項２】
三酸化二砒素が、可食性粉末で５０〜２００倍に希釈されたものである請求項１記載のアレルギー疾患の予防・治療用組成物。
【請求項３】
三酸化二砒素と共に、桂枝、黄耆及び甘草の中の少なくとも１種の物質を含有する請求項１または２記載のアレルギー疾患の予防・治療用組成物。
【発明の詳細な説明】
【技術分野】
【０００１】
本発明は、アレルギー疾患の予防・治療用組成物に関し、特に気管支喘息に対する根源的な予防・治療に用いられる組成物に関する。
【背景技術】
【０００２】
アトピー性皮膚炎、喘息、花粉症などのアレルギー疾患の増加は、大きな社会問題となっている。
これまでに、アレルギー疾患の予防・治療のために多くの医薬品や漢方薬が開発され、また各種薬草などが民間に伝承されている。さらに、日常的に飲用されている茶の成分であるカテキン類が有効であることも知られている。
【発明の開示】
【発明が解決しようとする課題】
【０００３】
しかし、アレルギー疾患の予防や治療に用いられている医薬品などの中には、ステロイド薬が含まれることがあり、その副作用は憂慮すべき事態である。
そこで、本発明はこのような心配のない安全性の高いアレルギー疾患の予防・治療用組成物の提供を目的とするものである。
【課題を解決するための手段】
【０００４】
すなわち、請求項１記載の本発明は、三酸化二砒素を含有することを特徴とするアレルギー疾患の予防・治療用組成物である。
請求項２記載の本発明は、三酸化二砒素が、可食性粉末で５０〜２００倍に希釈されたものである請求項１記載のアレルギー疾患の予防・治療用組成物である。
また、請求項３記載の本発明は、三酸化二砒素と共に、桂枝、黄耆及び甘草の中の少なくとも１種の物質を含有する請求項１または２記載のアレルギー疾患の予防・治療用組成物である。
【発明の効果】
【０００５】
本発明によれば、副作用がなく安全性の高い、気管支喘息などのアレルギー疾患を予防および／または治療するための組成物が提供される。
【発明を実施するための最良の形態】
【０００６】
上記したように、請求項１に係る本発明のアレルギー疾患予防・治療用組成物は、三酸化二砒素を含有するものである。
三酸化二砒素（AS2O３）は、俗に亜ヒ酸とも称されている物質である。本発明においては、該三酸化二砒素は、請求項２に記載したように、可食性粉末で５０〜２００倍に希釈された状態で用いられる。
組成物中における三酸化二砒素の含有量については、０．００５〜０．２ｇ、好ましくは０．０１〜０．１ｇ、より好ましくは０．０１〜０．０５ｇである。
【０００７】
可食性粉末としては、デンプン、小麦粉などが用いられる。三酸化二砒素は、該可食性粉末によって５０〜２００倍、好ましくは７０〜１７０倍程度に希釈して用いる。
希釈倍率が下限未満であると、毒性の影響が心配され、上限を超えると、十分な薬効が期待できない場合がある。
【０００８】
気管支喘息などのアレルギー疾患を予防および／または治療するための組成物は、有効成分として三酸化二砒素を含有していればよく、所望により桂枝、黄耆及び甘草の中の少なくとも１種の物質を加えることができる。
桂枝、黄耆及び甘草は、いずれも漢方薬の成分として古来より用いられている。これらを併用することによって、アレルギー疾患の予防・治療上の効果を高めることができる。
桂枝、黄耆及び甘草を配合する場合、各物質の添加量については患者の容態、年齢、その他の要因を考慮して適宜決定すればよいが、通常は各物質いずれも可食性粉末で希釈された三酸化二砒素と同量程度を目安とすればよい。
【０００９】
なお、本発明の組成物には、必要に応じて賦形材、増量材、甘味料、香料など医薬分野において通常用いられている補助成分を適宜加えることができる。
【００１０】
本発明の組成物を患者に投与する場合、アトピー性皮膚炎、喘息、花粉症などのアレルギー疾患の症状や年齢などを考慮して、下記処方の中から適切なものを選択して３週間ほど続けて投与する。通常は、これにより症状の改善がみられるので、投与を中止して経過を観察する。その後、発作が起きた場合は、直ちに対症療法を実施する。すなわち、患者に本発明の組成物を１週間服薬を続けて、その後の経過を観察する。
【００１１】
以下に、本発明に係るアレルギー疾患の予防・治療用組成物の処方を例示する。
処方１
三酸化二砒素（デンプンによる１００倍希釈物）    ２．０ｇ
処方２
三酸化二砒素（デンプンによる１００倍希釈物）    ２．０ｇ
桂枝                                            ２．０ｇ
処方３
三酸化二砒素（デンプンによる１００倍希釈物）    ２．０ｇ
桂枝                                            ２．０ｇ
黄耆                                            ２．０ｇ
甘草                                            １．５ｇ
【実施例】
【００１２】
以下において、本発明を実施例により説明するが、本発明はこれらによって限定されるものではない。
【００１３】
実施例１
前記処方３の組成物を、気管支喘息の患者（男性、４２歳）に３週間続けて投与した。
その後、症状が改善されたか否かを判定するため、患者が喘息発作を起こす要因を調べ、患者に該要因と同じ状態を負荷する。本患者は、湿度の高いときに発作を起こすので、室内の湿度を発作が起こりやすい状態に高めた。
経過を１０日間観察したところ、患者は喘息発作を起こさなかったので、症状が改善されたと判定し、退院させた。
【００１４】
実施例２
前記処方２の組成物を、気管支喘息の患者（男性、２５歳）に３週間続けて投与した。この患者は、過労が原因で喘息発作を起こすので、継続的に重作業をさせて発作が起きやすい状態とした。
その結果、軽度の発作が認められたので、対症療法を施し、前記処方を更に１週間服薬を続けた。その後、喘息発作が起こらなかったので、患者を退院させ、以後定期的に経過を観察することとした。
【産業上の利用可能性】
【００１５】
本発明によれば、アトピー性皮膚炎、喘息、花粉症などのアレルギー疾患を、副作用なしに予防および／または治療することができる。
(57)【要約】      （修正有）【課題】鹿児島、宮崎など南九州で多量に堆積する火山噴出物の一種であるシラスを有効活用し、歯磨き剤用の研磨剤として利用する。【解決手段】火山噴出によって堆積したシラスを粒径５０μｍ〜５００μｍ程度に粒状化し含有させた歯磨き剤である。また前記歯磨き剤の生成工程を以下の手順とした粒状シラスを含有させた歯磨き剤の製造方法である。１シラスを水洗浄化して不用浮遊物を除去する工程と、２高温熱湯で消毒殺菌する工程と、３乾燥して粉砕し超微粒子する工程と、４更に粒子を揃えるためにフルイにかけて粒径５０μｍ〜５００μｍ程度の均一な粉末にする工程と、５このシラス粒状物を柔軟剤と練り合わせて混合する手順で製造する。【選択図】なし【特許請求の範囲】
【請求項１】
シラスを粒状化し研磨剤として含有させた歯磨き剤。
【請求項２】
前記シラスを粒径５０μｍ〜５００μｍ程度に粒状化し研磨剤として含有させた請求項１記載の歯磨き剤。
【請求項３】
前記歯磨き剤を以下の手順で生成した粒状シラス入り歯磨き剤の製造方法。
・シラスを水洗浄化して不用浮遊物を除去する工程と、
・高温熱湯で消毒殺菌する工程と、
・乾燥して粉砕し超微粒子する工程と、
・更に粒子を揃えるためにフルイにかけて粒径５０μｍ〜５００μｍ程度の均一な粉末にする工程と、
・そしてこのシラス粒状物を柔軟剤と練り合わせて混合する手順で製造する。
【発明の詳細な説明】
【技術分野】
【０００１】
本発明は歯茎を主体とした口腔を健康に保つための歯磨き剤及びその製造方法に関するものである。
【背景技術】
【０００２】
従来の歯磨き剤は、研磨剤、発泡剤、湿潤剤、香味料を基本的成分とし、他に製品を特徴づける薬用成分などを適宜配合している。然しながら歯磨き剤は口内で使用するものであるから化学薬剤を極力廃して自然素材を主原料とするものが近年望まれており、特に主成分である研磨剤にかかる自然素材を用いたものが下記の特許文献で開示されている。
【特許文献１】特開２０００―１４３４６７号（炭化物粉末）
【特許文献２】特開２０００―１２８７５１号（白炭粉末）
【特許文献３】特開平１０―４５５４８号（サンゴ粉末）
【特許文献４】特開平１１―１５２２１６号（トルマリン石粉末）
【特許文献５】特表２００３―５１８０２５号（シリカ、軽石粉末）
【０００３】
本発明は鹿児島、宮崎など南九州で多量に堆積する火山噴出物の一種であるシラスが多孔質な軽石であることに着目しその有効活用を図ったものである。すなわち歯磨き剤としての主成分にシラスを用いたのは、シラスが地下マグマ（溶解岩）から７〜８千度という高温で分解し火山の噴火灰となって地表に堆積したもので物質としては多孔質軽石が９０％、その中にガラス状珪石が混成しているものであり、歯汚れや歯垢の除去にこのガラス状珪石が実に効果を発揮し、また歯ぐきなど肉質部には超微粒子のため損傷を与えることもないことに着目し本発明に至った。
【発明の開示】
【発明が解決しようとする課題】
【０００４】
本発明は鹿児島、宮崎など南九州で多量に堆積する火山噴出物の一種であるシラスが多孔質な軽石であることに着目し、これを粒状化し研磨剤として歯磨き剤に混入させその有効活用を図ったものである。すなわち歯磨き剤に含まれる研磨剤は、歯と歯茎を同時に研磨するため歯がよく磨けるものは歯茎に傷を与えるという相反する性質がある。本発明は、これを解決するために火山地帯に堆積するシラスを粒状化し、これを歯磨き剤に混ぜて用いることで口腔に全く損傷を与えず歯を美しく研磨し、更にシラスが多孔質軽石であることから口腔内の雑菌を吸着除去することもできるという一石二鳥の効果を狙ったものである。
【課題を解決するための手段】
【０００５】
本発明は、請求項１、２記載のように、シラスを粒状化し研磨剤として含有させた歯磨き剤であり、また請求項３記載のように、前記歯磨き剤を以下の手順で製造したことを特徴とする粒状シラス入り歯磨き剤の製造方法である。
・シラスを水洗浄化して不用浮遊物を除去する工程と、
・高温熱湯で消毒殺菌する工程と、
・乾燥して粉砕し超微粒子する工程と、
・更に粒子を揃えるためにフルイにかけて粒径５０μｍ〜５００μｍ程度の均一な粉末にする工程と、
・そしてこのシラス粒状物を柔軟剤と練り合わせて混合する手順で製造する。
【発明の効果】
【０００６】
歯磨き剤としての主成分にシラスを粒状化し研磨剤として混合したので口腔に全く損傷を与えず歯を美しく研磨し、更にシラスが多孔質軽石であることから口腔内の雑菌を吸着除去することもできる。また歯ぐきなど肉質部には超微粒子のため損傷を与えることもない等の効果がある。
【発明を実施するための最良の形態】
【０００７】
本発明は鹿児島、宮崎など南九州で多量に堆積する火山噴出物の一種であるシラスの利用が全くない実情に着目し、このシラスを粒状化して研磨剤として含有させた歯磨き剤である。
【実施例１】
【０００８】
南九州地区に多量に堆積するシラスを粒径５０μｍ〜５００μｍ程度に粒状化し研磨剤として含有させた歯磨き剤である。そしてこの歯磨き剤を以下の手順で製造したことを特徴とする。
・シラスを水洗浄化して不用浮遊物を除去する工程と、
・高温熱湯で消毒殺菌する工程と、
・乾燥して粉砕し超微粒子する工程と、
・更に粒子を揃えるためにフルイにかけて粒径５０μｍ〜５００μｍ程度の均一な粉末にする工程と、
・そしてこのシラス粒状物を柔軟剤と練り合わせて混合する手順で製造する。
(57)【要約】【課題】  チューブ式容器使用時に手間を掛けずに中身を最後まで出し切り、内容物が外気にふれる面を最小限に押えるチューブ式容器を提供する。【解決手段】  チューブ式容器の低部分を出口肩部分と同形にし押し上げることにより、最後まで手間を掛けずに使い切り、外気にふれる面を最小限に押えることを特徴とする円筒形、チューブ式容器。【選択図】  図２
2006206177.tif 000002
【特許請求の範囲】
【請求項１】
円形筒のチューブ式容器の底を出口部分の内形と同形にし、中央に出口穴に合致する突出部を設け、底を押し上げることにより、内容物が、外気にふれることなく最後まで出し切ることが出来るように構成したことを特徴とするチューブ式容器。
【発明の詳細な説明】
【技術分野】
【０００１】  本発明は、チューブ式容器であって、例えばマヨネーズの容器、練りわさびの容器、練り歯磨き粉の容器を使用時に、内容物を最後まで苦労せず使い切り内容物が、外気にふれることなく出し切ることができる、押し上げ式チューブ容器に関するものである。
【背景技術】
【０００２】  従来のチューブ式容器を使用した場合、中身を使い切ろうと最後には、容器をしごいたり、押しつぶしたり、容器内に空気を入れてぐるぐる回し、遠心分離を利用し、容器の出口に集めたりしていた。
【発明の開示】
【発明が解決しようとする課題】
【０００３】  そのため、使い始めの頃のように容器から中身を簡単にしぼり出せず、手間と時間が掛っていた。しかも中身を完全には使い切れず少し残ったまま捨てることが多かった。本発明は以上の問題点を解決しようとするものである。
【課題を解決するための手段】
【０００４】  上記目的を達成するため本発明は、円筒形のチューブ式容器の底を出口部分の内形と同形にし、中央に出口穴に合致する突出部を設け、底を押し上げることにより、内容物が外気にふれることなく最後まで、出し切ることが出来るように構成したものである。
【発明の効果】
【０００５】  本発明は、チューブ式容器の中身を手間と労力を掛けず、効果的に使い切ることができる。又、中身を押し上げることにより、中身が外気にふれる面を最小限にすることにより酸化、劣化、変色を防ぐことが出来る。
【発明を実施するための最良の形態】
【０００６】  以下本発明の実施の形態を説明する。
（イ）  弾力性のある軟質性チューブ式容器（１）は、出口（２）にふた（６）を有し、本体の胴体部が軟質樹脂材で形成され、底部（４）は固めの樹脂材から形成される。
（ロ）  底部（４）の中央に内側へ向けて略円錐状の突出部（５）を設け、突出部（５）は出口（２）に収まる大きさとする。
（ハ）  容器の胴体の中央部の円周に使いきり線（３）を設ける。
本発明は以上の構成よりなるので、本発明を使用するときは、容器の底部（４）を上方に押し上げながら使いきり線（３）まで胴体部を内側へ折り返す。
使いきり線（３）まで胴体部を内側へ折り返されるとき、容器（１）の上辺（７）の内側に底部（４）が完全に密着するまで上方へ押し上がり、内容物は出口（２）より押し出される。また、突出部（５）は出口（２）に収まるまで底部（４）を押し上げると、内容物は完全に吐出される。
【図面の簡単な説明】
【０００７】
【図１】  本発明の正面図
【図２】  本発明の断面図
【図３】  本発明の使用時状態を示す断面図
【符号の説明】
【０００８】      １  容器
２  出口
３  使い切り線
４  底
５  突出部
６  ふた
７  上辺
【図１】
2006206177.tif 000003
【図２】
2006206177.tif 000004
【図３】
2006206177.tif 000005
(57)【要約】【課題】荷物の荷崩れを少なくさせる締め付け帯を提供する。【解決手段】荷物を締め付ける帯に当て板を挿通させて、四隅を効率よく保持固定させる。【選択図】  図  １
2006206175.tif 000002
【特許請求の範囲】
【請求項１】
荷台に積載された荷物を荷崩れしにくくする締結帯であって、積載された荷物の周りを締め付け具を備えて、四隅の角部分にＬ字形状の当て板を押し付け、帯で締め付け、帯の連結は任意形状のフックを利用して、荷物を保持固定するようにしたことを特徴とする、荷崩れしにくくする締結帯。
【請求項２】
請求項１において、締め付け具は帯を巻きつける装置にして、又本体に紐により繋ぎ止める、挿み板を設けることを特徴とする、荷崩れしにくくする締結滞。
【請求項３】
請求項１において、当て板はＬ字形状にして、外側部分に帯を挿通させる孔を設け、内側部分に、挿み板を設けたことを特徴とする、荷崩れしにくくする締結帯。
【発明の詳細な説明】
【発明の詳細な説明】
【技術分野】
【０００１】本発明は、荷台（パレット）に積載した荷物を保持固定するようにした、荷崩れしにくくする締結帯に関するものである。
【背景技術】
【０００２】イ  紐で荷物の上部側面を巻きつけ縛っていた。
ロ  締め付け具の付いた帯で巻きつけ固定していた。
ハ  薄い合成樹脂（ラップ）を、巻きつけていた。
【発明が解決しょうとする課題】
【０００３】従来の荷崩れ防止にあっては次のような欠点があった。
イ  紐で締め付けてもあまり締め付けることができなかった。
ロ  締め付け具で締め付けるとダンボールの箱が破損したりした。
ハ  ラップで巻きつけるとラップの廃棄物が発生した。
本発明は、以上の欠点を解決するためになされたものである。
【課題を解決するための手段】
【０００４】上記の問題点を解決するために、本発明は、荷物の側面に帯の跡をつけにくくし、今までより荷物を保持固定させる。又再利用することにより廃棄物を少なくすることができる。
【発明を実施するための最良の形態】
【０００５】以下、本発明の実施の形態を説明する。【０００６】締め付け具３の片方に短い帯１０を取り付けて端部にフック４を設ける。もう一方の帯１は荷台７を一周する長さに調整して、四隅に当てる当て板２の挿通孔９を通過させ、四個を帯に組み入れる。一方の端部にフック４を設け、もう一方の端部は締め付け具３のスロット１１部分の下から差込、上に出してハンドル６を動かして帯１を締める。【０００７】イ  締め付け具３は本体から紐で挿み板５を繋ぐようにする。
ロ  当て板２は、外側面に帯１を通過させる挿通孔９をもうける。  又、内側面には使わない時は下に垂れ下がっている挿み板５を設ける。
ハ  フック４とフック４は連結自在にす。
本発明は、以上の構成より成っている。
本発明を使用する時は、【０００８】荷台７に積載された荷物８は多くの場合、一段から二段、三段、と積み上げられている。フォークリフトなどで搬送する場合は１番上の荷物８の周りを帯１とか紐で締め付けていた。本発明はまず、締め付け具３に付随している挿み板５を１番上の荷物とその下の荷物の間に挿みつけて、締め付け具３が下に落ちないようにする。【０００９】その次、１番目の角隅に当て板２を持って行き、１番上の荷物とその下の荷物の間に当て板２の内側に垂れ下がっている挿み板を手で挿入する。
そして、二番目の角隅、三番目の角隅、四番目の角隅に当て板を当てていき、荷台７の周りを一周してフック４とフック４を連結させる。それから、最後に締結具のハンドルを繰り返し動かして、帯１をしめる。【００１０】荷台７に積載した荷物８は箱状のものばかりでなく、合成樹脂で作られた箱で、必要な場合は開いて、箱状にし、不必要な場合は折りたたんでおくもの（折コン）が多く利用されている。【００１１】上記のような薄い荷物８は、荷台７の大きさに合わせて四組、五組にして積み重ねていく、この場合、四隅にＬ字状の柱を当てて、その上から、当締め付け帯をまきつける。また、当て板２の内側の挿み板５は下方に下げておく。
又、荷物８の量により、上段、中段、下段と何箇所かに、当締め付け帯を巻きつけ、荷物８を保持固定させる。
【発明の効果】
【００１２】本発明は、以上説明いたように構成されているので、以下に記載されるような効果を発生させる。
イ  １番上の荷物の周りばかりでなくその下の荷物も締める事ができ、荷崩れしにくくする効果がある。
ロ  当て板により荷物に直接締め付け帯が当たることがなく、箱に跡をつけなくなる。
ハ  締め付け具、当て板、につけた挿み板により、一人でも締め付け作業ができる。
【図面の簡単な説明】
【００１３】
【図１】帯の装着時の斜視図
【図２】締め付け具の側面図
【図３】当て板に帯を挿通させた斜視図
【図４】当て板に挿み板を下げた斜視図
【図５】当て板の挿み板を使う時の斜視図
【符号の説明】
【００１４】１    帯
２    当て板
３    締め付け具
４    フック
５    挿み板
６    ハンドル
７    荷台
８    荷物
９    挿通孔
１０  短い帯
１１  スロット
【図１】
2006206175.tif 000003
【図２】
2006206175.tif 000004
【図３】
2006206175.tif 000005
【図４】
2006206175.tif 000006
【図５】
2006206175.tif 000007
(57)【要約】【課題】  この発明は、容器の一部を回転させて内部の半固形物を絞り出す、糸を使用した容器に関するものです。【解決手段】  容器（３）内部に糸（６）を、糸ガイドミゾ部（７）で噛ませた状態で押出し弁（４）と一緒に挿入し、糸（６）の両端を切り込み部（８）から出し半固形物を充てん、その後内フタ（９）を乗せ糸両端に付いた糸固定部品（１０）を糸固定部（１１）に付けて切り込み部（８）の上部に糸を掛け、内フタ（９）の出し口管（１２）を摘み回転させて糸のタルミを除去、上フタ（２）を内フタ固定穴部（１３）から出し口管（１２）上部が出るよう容器（３）に固定する。【選択図】  図６
2006206179.tif 000002
【特許請求の範囲】
【請求項１】
容器の切り込み部から出した糸の両端を内フタ上部で固定し、上フタを被せたとき内フタの出し口管を固定する、上フタと連動で内フタを回転させ、内フタの出し口管に糸を巻き付ける機能を有した容器。
【請求項２】
使いきりの簡易容器で、容器側に位置固定し出した糸の両端を、内フタ底面の穴にリベットで噛ませ固定し、内フタの回転でリベット部に糸を巻き付ける機能を有した容器。
【請求項３】
出し口管先端部を切り、分断した部品を反転させて差込み、穴の大きさの調整や密閉用フタとして使用できる機能を有した出し口管。
【発明の詳細な説明】
【発明の詳細な説明】
この発明は糸を容器側で位置固定し、回転により内フタ部に糸を巻き付け、内部のジャム等の半固形物を出し口より絞り出す機能を有する容器です。
従来ジャム等の容器はビン、プラスチックや紙のカップ詰め、またはチューブ入り等があり、詰めるタイプではスプーンが必要で、用意し使用するたび洗い片付ける手間が掛り煩わしく、容器にスプーンを差したままだとフタができず乾燥し固くなったり、カビが繁殖して腐ったりします。
またチューブタイプのモノは圧力で絞る量を調整する為、最初と最後では絞る時の労力も変化し、最後になるほど苦労します。
本発明は糸を使用し、回転運動で内フタ部に糸を巻付け、内部の半固形物を絞り出す事で従来の問題点を解決しました。以下にそれを説明します。
（イ）容器内部に押出し弁とその糸ガイドミゾに噛ませた糸を入れる
（ロ）糸の両端を切り込み部から出した状態で、容器に半固形物を充てんする
（ハ）充てん後、内フタをして糸の両端を内フタに固定する
（ニ）再度糸を切り込み部に掛け、出し口管を回転させ糸のタルミを取り除く
（ホ）上フタ穴より内フタの出し口管先が出てくるようにはめ込み固定する
これにより容器側で位置固定された糸が、上フタを回転させる事で内フタ側面を滑りながら出し口管に巻き付き、押出し弁が上ってくるため上フタの回転量に比例した量の半固形物が、いつも必要量だけ容易に抽出可能です。
また乾燥防止と衛生的な保存ができ、再使用可能な構造の容器です。
【発明実施の形態】
本発明の実施形態を説明すると、押出し弁とそのミゾに噛ませた糸を容器内に入込み半固形物を充てん後、切り込み部から出した糸両端を内フタに固定、その後上フタを被せて回すと内フタ部に糸が巻き付き、押出し弁が引き上る。
回転時の巻きムラで糸両端に速度ズレが生じても、押出し弁左右で糸の速度調整がされ表面圧力が均一にかかる為、押出し弁の噛み込みも防止できる。
また薄く強固なＰＥＴ材等を使用した使いきりの簡易容器で、容器側に糸を位置固定し、内フタ底面の穴へリベットと糸両端を共に噛ませ、リベット部で糸を巻き取る方式も同様に絞り出しが実施可能。
さらにシリコン材容器等の出し口部のように、使用するたび切り捨てられてた出し口先端部を、反転させて先端部に差込み、穴の大きさ調整用とか密閉用フタとして使用する機能を有した出し口管を付加し、簡易容器に実施も可能。
【図面の簡単な説明】
【図１】  本発明容器の斜視図
【図２】  容器の構成部品図
【図３】  主な構成部品の断面図
【図４】  容器への押出し弁と糸の挿入図
【図５】  容器への糸と内フタの取付図
【図６】  容器への糸と上フタの固定図
【図７】  糸タルミ除去前の上面・側面図
【図８】  糸タルミ除去後の上面・側面図
【図９】  簡易容器タイプの切り込みとマスク等による糸位置固定例図
【図１０】  簡易容器タイプの穴による糸位置固定例図
【図１１】  簡易容器タイプの切り込み糸掛け位置固定例図
【図１２】  リベット使用による内フタへの糸固定例図
【図１３】  出し口管先端部の図
【符号の説明】
１口フタ  ２上フタ  ３容器本体  ４押出し弁  ５底フタ  ６糸  ７糸ガイドミゾ部  ８切り込み部  ９内フタ  １０糸固定部品  １１糸固定部  １２出し口管  １８内フタ固定穴部  １４細口アダプタ  １５穴付口フタ・アダプタ保持部  １６リベット
【図１】
2006206179.tif 000003
【図２】
2006206179.tif 000004
【図３】
2006206179.tif 000005
【図４】
2006206179.tif 000006
【図５】
2006206179.tif 000007
【図６】
2006206179.tif 000008
【図７】
2006206179.tif 000009
【図８】
2006206179.tif 000010
【図９】
2006206179.tif 000011
【図１０】
2006206179.tif 000012
【図１１】
2006206179.tif 000013
【図１２】
2006206179.tif 000014
【図１３】
2006206179.tif 000015
(57)【要約】【課題】  本発明は、手提げ袋本体に手提げ潜り部を設け、潜り通すことにより開口部を自然と閉口することにより、使用者のプライバシー保護とスリ等の防犯抑止を図る。【解決手段】  本発明は、手提げ袋本体（３）に手提げ潜り部（２ａ）（２ｂ）を設け、互いに相手側の手提げ部（１ａ）（１ｂ）を潜らすことにより開口部を自然閉口し使用者のプライバシー保護とスリ等の防犯抑止に役立つ。【選択図】  図１
2006206178.tif 000002
【特許請求の範囲】
【請求項１】
袋部に手提げを有する手提げ袋において、各手提げ取付け部分に対面する手提げ部を通過させるための手提げ潜り部（切込みタイプ・テープタイプ・紐タイプなど）を持ち、その対面する手提げ部を潜り通し合わせて使用することを特徴とする手提げ袋。
【発明の詳細な説明】
【技術分野】
【０００１】  本発明は、手提げ袋の手提げ取付け部分に対面手提げ部分を通すための構造を設け、自然と閉口する手提げ袋に関するものである。
【背景技術】
【０００２】  デパートなどでの買い物後や通勤通学などの移動の際に、手提げ袋の中身が見えたりすることよりプライバシーなどの観点に問題があると感じていた。
【発明の開示】
【発明が解決しようとする課題】
【０００３】  一般的に商品販売店などでの購入の際、手提げ袋の開口部をテープ等でとめていることが多く、その箇所は特に強度的にも弱く破れやすい状態にある。またテープ等のほかに必要な資源の無駄を排除することも考慮している。さらに開口部を無くし閉口する事によりスリ等の防犯上の問題も解決できる。
【課題を解決するための手段】
【０００４】  本発明は、互いの手提げ取付け部分に対面の手提げ部分を潜り通すための手提げ潜り部を持つことで、相手側手提げ部分を通過させ合わせることにより開口部を自然と閉口させ使用することができる。
【発明の効果】
【０００５】  閉口時にテープなどの資源を必要としないため経済的効果も期待でき、接合部強度の減少も最小限に抑えられることにより、手提げ袋としての再利用効果も増加すると考える。
【発明を実施するための最良の形態】
【０００６】  特徴としては互いの手提げ取付け部分を接合することにより開口部を閉口するよう発明した。このため、強度や使用目的と頻度に合わせて、切込みタイプ・テープタイプ或いは飾り紐等を利用したデザインなどの組合せを用いる事で多彩なバリエーションが考えられる。考慮すべきポイントは手提げ部の取付け部分より高い位置に潜り部の下部を配置することで、互いに相手側の手提げ潜り部を無理なく通すことができる。また交差させることにより閉口部の強度効果が向上する。
【実施例】
【０００７】  以下、添付図面に従って実施例を説明する。手提げ袋本体（３）の材質は特に問わず、各手提げ部（１ａ）（１ｂ）も袋本体（３）の材質と強度を考慮する他は特に制限は無い。使用時は先ず、手提げ部（１ａ）を潜り部（２ａ）より内側へ下げ、相手側の潜り部（２ｂ）下より手提げ部（１ｂ）へ潜り上げ揃える。この事により開口部は自然と閉口される。また更にもう片方も同じ状態にする事により閉口強度が増すこととなる。
【産業上の利用可能性】
【０００８】  あらゆるタイプ（素材）の手提げ袋に応用でき、低コストにて加工も簡単である。
【図面の簡単な説明】
【０００９】
【図１】本発明の手提げ取付け部分の配置と潜り使用法を示す図面である。
【図２】本手提げ部の潜り使用法を平面で示す図面である。
【図３】本手提げ袋の全体図とその取付け部分の位置関係を示す図面である。
【符号の説明】
【００１０】  （１ａ）手提げ部その１
（１ｂ）手提げ部その２
（２ａ）手提げ潜り部その１
（２ｂ）手提げ潜り部その２
（３）手提げ袋本体
【図１】
2006206178.tif 000003
【図２】
2006206178.tif 000004
【図３】
2006206178.tif 000005
(57)【要約】      （修正有）【課題】  紐、ロープでの荷作りで、強く引き締めても結びのとき緩みが生じない荷造りストッパーを提供する。【解決手段】  荷作りストッパーの内周に上向きの釣り針状かえり及び下向きかえりをもうけることにより、引き締めた紐、ロープがカエリの作用により逆戻りすることなく、結びの下手、非力でも引き締めた強い張りの状態で荷作り包縛がらくらくできる。【選択図】  図３
2006206176.tif 000002
【特許請求の範囲】
【請求項１】
カエリ付き荷作り用ストッパーとして、四角形内側四隅に釣り針のカエリと同じ役目をする上向きと下向きのカエリを設け、強く引っ張ったロープが結ぶとき緩むことなく引っ張った張りの状態で荷作りできるようにしたカエリ付き荷造り用ストッパー。
【発明の詳細な説明】
【技術分野】
【０００１】本発明は、荷作り用ストッパーとして四角形内側の四隅に釣り針のカエリと同じ役目をする上向きカエリと下向きカエリを設け強く引っ張った紐やロープを結ぶとき、たるみが生じるのをなくし、強く引っ張ったままの張りでらくらく包縛できるようにしたものである。
【背景技術】
【０００２】従来は、荷作り用ストッパーにカエリを設けたものは無かった。
【発明の開示】
【発明が解決しようとする課題】
【０００３】従来のストッパーは、ＰＰバンド用ストッパーのようにその使用が限られており、市販の各種紐、ロープ等には対応できないという問題点があった。
【課題を解決するための手段】
【０００４】カエリ付き荷造り用ストッパーの内側四隅のカエリは対角において上向きカエリと下向きカエリが設けてある。ストッパーに紐、ロープの端を通し包縛したい荷の外周より長めのところにストッパーをスライドしておく、紐、ロープの端は荷の下側をくぐらせ、荷の上側まで引き出し、ストッパーの下向きカエリのコーナーに一重程度の結び止めをしておき、上向きカエリのコーナーの紐、ロープを玉巻側方向へ強く引き締め、これも一重程度の結び止めをして紐、ロープの玉巻側を切り離すことにより、強く引き締めた張りのままらくらく包縛できるようにした。
【発明の効果】
【０００５】ストッパー内側の対角において上向きカエリと下向きカエリを設けたことにより、また、ストッパーに紐、ロープの端を通すときストッパーの向きは自由であり、引き締めた紐、ロープの張りがカエリの作用により逆戻りすることなく、結びの下手、非力でも荷作り包縛がらくらくできるようにした。
【実施例】
【０００６】図面で説明すれば、カエリ付き荷造り用ストッパー１に紐、ロープ５の端を通し荷物の外周より少し長めのところまでカエリ付き荷造り用ストッパー１をスライドしておき紐、ロープ５の端を荷の下側をくぐらせ荷の上側まで引き出しカエリ付き荷造り用ストッパー１の下向きカエリ３のコーナーに一重程度の結び止めをしておく、反対側の上向きカエリ２のコーナーの紐、ロープ５を玉巻側方向へ２・３回程度つよく引き締め、これも一重程度の結び止めをして紐、ロープ５の玉巻側を切り離すことにより緩みの無い包縛ができる。
【図面の簡単な説明】
【０００７】
【図１】本発明の平面図である。
【図２】本発明の断面図である。
【図３】本発明の使用状態を示す平面図である。
【符号の説明】
【０００８】  １  カエリ付き荷造り用ストッパー
２  上向きカエリ
３  下向きカエリ
４  書籍、新聞紙等
５  紐、ロープ
【図１】
2006206176.tif 000003
【図２】
2006206176.tif 000004
【図３】
2006206176.tif 000005